【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
風が流入するウインド流入口が複数層に形成され、各層は風の強さ及び方向変化をもたらすようにする集風部と、前記風が通過しながらエネルギーを転換するようにするエネルギー転換部とから構成される風力発電タワーであって、
前記集風部は、前記ウインド流入口を介して取り入れられた風が前記エネルギー転換部の一半径方向に流れるように前記風力発電タワーの中心に沿って同一な角度に傾斜して放射状に配置される複数のウインドガイド壁を含み、
前記エネルギー転換部は、その内部に前記風力発電タワーの各層の中心に設置され、ソリディティーが０．２以上に形成された３つのブレードを有するジャイロミル型風力ブレードを含むジャイロミル型風力タービンが設置され、
前記ジャイロミル型風力タービンは、ＴＳＲが１．１乃至２．４、ＲＰＭが２４０以下になる条件で使用され、かつ、
前記エネルギー転換部は、前記ウインドガイド壁と前記ジャイロミル型風力ブレードとの間の空間に形成されるウインド流路と、前記風力発電タワーの中心から前記ジャイロミル型風力ブレードの間の空間に形成される内部流路とから構成され、前記風力発電タワーに風が流入する方向に垂直な方向を基準に、時計反回り方向に４等分して第１領域乃至第４領域に定めて、
前記集風部を通過した風が、前記第１領域から前記第４領域へと向かって前記エネルギー転換部を通過して、前記ジャイロミル型風力ブレードが時計反回り方向に回転する場合、
前記複数のウインドガイド壁の傾斜方向は、前記エネルギー転換部の径方向に対して、前記複数のウインドガイド壁の外側が時計反回りに回った方向であり、かつ、前記３つのブレードは、時計反回り方向に幅広になった流線型であるとともに、
前記エネルギー転換部のウインド流路の最小距離は、１．１乃至２．４のＴＳＲおよび２４０以下のＲＰＭを与える風速を有する風が前記第１領域に流入した際に、第４領域で正のトルクが初めて発生する位置であり、最大距離はジャイロミル型風力タービンの半径とすることを特徴とする、ジャイロミル型風力タービンを備える風力発電タワー。
【請求項２】
前記複数のウインドガイド壁は、前記集風部を通過した風が前記エネルギー転換部の第１領域と第４領域を通過して外部に流れるように角度が傾斜して形成されることを特徴とする、請求項１に記載のジャイロミル型風力タービンを備える風力発電タワー。
【請求項３】
前記複数のウインドガイド壁は、５個以上９個以下であることを特徴とする、請求項１または２に記載のジャイロミル型風力タービンを備える風力発電タワー。
【請求項４】
前記エネルギー転換部の前記第１領域と第４領域のウインド流路を通過して流れる風の流量が前記第１領域と第４領域の内部流路を通過して流れる風の流量と等しいか、またはそれ以上になるようにウインド流路の距離を定めることを特徴とする、請求項１または２に記載のジャイロミル型風力タービンを備える風力発電タワー。
【請求項５】
前記エネルギー転換部の第１領域と第４領域で正のトルクが発生するように前記ジャイロミル型風力ブレードの迎角が形成されることを特徴とする、請求項１または２に記載のジャイロミル型風力タービンを備える風力発電タワー。
【請求項６】
前記風力発電タワーは円柱形状に形成されることを特徴とする、請求項１に記載のジャイロミル型風力タービンを備える風力発電タワー。
【請求項７】
風が流入するウインド流入口が複数層に形成され、各層は風の強さ及び方向変化をもたらすようにする集風部と、前記風が通過しながらエネルギーを転換するようにするエネルギー転換部とから構成される風力発電タワーであって、
前記集風部は前記ウインド流入口を介して取り入れられた風が前記エネルギー転換部の一半径方向に流れるように前記風力発電タワーの中心に沿って同一な角度に傾斜して放射状に配置される複数のウインドガイド壁を含み、
前記エネルギー転換部は、その内部に前記風力発電タワーの各層の中心に設置され、ソリディティーが０．２以上に形成された３つのブレードを有するジャイロミル型風力ブレードを含むジャイロミル型風力タービンが設置され、
前記ジャイロミル型風力タービンは、ＴＳＲが１．１乃至２．４、ＲＰＭが２４０以下になる条件で使用され、かつ、
前記エネルギー転換部は、前記ウインドガイド壁と前記ジャイロミル型風力ブレードとの間の空間に形成されるウインド流路と、前記風力発電タワーの中心から前記ジャイロミル型風力ブレードの間の空間に形成される内部流路とから構成され、前記風力発電タワーに風が流入する方向に垂直な方向を基準に、時計反回り方向に４等分して第１領域乃至第４領域に定めて、
前記集風部を通過した風が、前記第１領域から前記第４領域へと向かって前記エネルギー転換部を通過して、前記ジャイロミル型風力ブレードが時計反回り方向に回転する場合、
前記複数のウインドガイド壁の傾斜方向は、前記エネルギー転換部の径方向に対して、前記複数のウインドガイド壁の外側が時計反回りに回った方向であり、かつ、前記３つのブレードは、時計反回り方向に幅広になった流線型であるとともに、
１．１乃至２．４のＴＳＲおよび２４０以下のＲＰＭを与える風速を有する風が前記第１領域に流入した際に、前記エネルギー転換部の前記第１領域と第４領域のウインド流路を通過して流れる風の流量が前記第１領域と第４領域の内部流路を通過して流れる風の流量と等しいか、またはそれ以上になるようにウインド流路の距離を定めることを特徴とする、ジャイロミル型風力タービンを備える風力発電タワー。
【請求項８】
風が流入するウインド流入口が複数層に形成され、各層は風の強さ及び方向変化をもたらすようにする集風部と、前記風が通過しながらエネルギーを転換するようにするエネルギー転換部とから構成される風力発電タワーであって、
前記集風部は、前記ウインド流入口を介して取り入れられた風が前記エネルギー転換部の一半径方向に流れるように前記風力発電タワーの中心に沿って同一な角度に傾斜して放射状に配置される複数のウインドガイド壁を含み、
前記エネルギー転換部は、その内部に前記風力発電タワーの各層の中心に設置され、ソリディティーが０．２以上に形成された３つのブレードを有するジャイロミル型風力ブレードを含むジャイロミル型風力タービンが設置され、
前記ジャイロミル型風力タービンは、ＴＳＲが１．１乃至２．４、ＲＰＭが２４０以下になる条件で使用され、かつ、
前記エネルギー転換部は、前記ウインドガイド壁と前記ジャイロミル型風力ブレードとの間の空間に形成されるウインド流路と、前記風力発電タワーの中心から前記ジャイロミル型風力ブレードの間の空間に形成される内部流路とから構成され、前記風力発電タワーに風が流入する方向に垂直な方向を基準に、時計反回り方向に４等分して第１領域乃至第４領域に定めて、
前記集風部を通過した風が、前記第２領域から前記第３領域へと向かって前記エネルギー転換部を通過して、前記ジャイロミル型風力ブレードが時計方向に回転する場合、
前記複数のウインドガイド壁の傾斜方向は、前記エネルギー転換部の径方向に対して、前記複数のウインドガイド壁の外側が時計回りに回った方向であり、かつ、前記３つのブレードは、時計回り方向に幅広になった流線型であるとともに、
１．１乃至２．４のＴＳＲおよび２４０以下のＲＰＭを与える風速を有する風が前記第２領域に流入した際に、前記エネルギー転換部の前記第２領域と第３領域のウインド流路を通過して流れる風の流量が前記第２領域と第３領域の内部流路を通過して流れる風の流量と等しいか、またはそれ以上になるようにウインド流路の距離を定めることを特徴とする、ジャイロミル型風力タービンを備える風力発電タワー。
【請求項９】
風が流入するウインド流入口が複数層に形成され、各層は風の強さ及び方向変化をもたらすようにする集風部と、前記風が通過しながらエネルギーを転換するようにするエネルギー転換部とから構成される風力発電タワーであって、
前記集風部は、前記ウインド流入口を介して取り入れられた風が前記エネルギー転換部の一半径方向に流れるように前記風力発電タワーの中心に沿って同一な角度に傾斜して放射状に配置される複数のウインドガイド壁を含み、
前記エネルギー転換部は、その内部に前記風力発電タワーの各層の中心に設置され、ソリディティーが０．２以上に形成された３つのブレードを有するジャイロミル型風力ブレードを含むジャイロミル型風力タービンが設置され、
前記ジャイロミル型風力タービンは、ＴＳＲが１．１乃至２．４、ＲＰＭが２４０以下になる条件で使用され、かつ、
前記エネルギー転換部は、前記ウインドガイド壁と前記ジャイロミル型風力ブレードとの間の空間に形成されるウインド流路と、前記風力発電タワーの中心から前記ジャイロミル型風力ブレードの間の空間に形成される内部流路とから構成され、前記風力発電タワーに風が流入する方向に垂直な方向を基準に、時計反回り方向に４等分して第１領域乃至第４領域に定めて、
前記集風部を通過した風が、前記第２領域から前記第３領域へと向かって前記エネルギー転換部を通過して、前記ジャイロミル型風力ブレードが時計方向に回転する場合、
前記複数のウインドガイド壁の傾斜方向は、前記エネルギー転換部の径方向に対して、前記複数のウインドガイド壁の外側が時計回りに回った方向であり、かつ、前記３つのブレードは、時計回り方向に幅広になった流線型であるとともに、
前記エネルギー転換部のウインド流路の最小距離は、１．１乃至２．４のＴＳＲおよび２４０以下のＲＰＭを与える風速を有する風が前記第２領域に流入した際に、第３領域で正のトルクが初めて発生する位置であり、最大距離はジャイロミル型風力タービンの半径とすることを特徴とする、ジャイロミル型風力タービンを備える風力発電タワー。
【請求項１０】
風が流入するウインド流入口が複数層に形成され、各層は風の強さ及び方向変化をもたらすようにする集風部と、前記風が通過しながらエネルギーを転換するようにするエネルギー転換部とから構成される風力発電タワーであって、
前記集風部は、前記ウインド流入口を介して取り入れられた風が前記エネルギー転換部の一半径方向に流れるように前記風力発電タワーの中心に沿って同一な角度に傾斜して放射状に配置される複数のウインドガイド壁を含み、
前記エネルギー転換部は、その内部に前記風力発電タワーの各層の中心に設置され、ソリディティーが０．２以上に形成された３つのブレードを有するジャイロミル型風力ブレードを含むジャイロミル型風力タービンが設置され、
前記ジャイロミル型風力タービンは、ＴＳＲが１．１乃至２．４、ＲＰＭが２４０以下になる条件で使用され、かつ、
前記エネルギー転換部は、前記ウインドガイド壁と前記ジャイロミル型風力ブレードとの間の空間に形成されるウインド流路と、前記風力発電タワーの中心から前記ジャイロミル型風力ブレードの間の空間に形成される内部流路とから構成され、前記風力発電タワーに風が流入する方向に垂直な方向を基準に、時計反回り方向に４等分して第１領域乃至第４領域に定めて、
前記集風部を通過した風が、前記第１領域から前記第４領域へと向かって前記エネルギー転換部を通過して、前記ジャイロミル型風力ブレードが時計反回り方向に回転する場合、
前記複数のウインドガイド壁の傾斜方向は、前記エネルギー転換部の径方向に対して、前記複数のウインドガイド壁の外側が時計反回りに回った方向であり、かつ、前記３つのブレードは、時計反回り方向に幅広になった流線型であるとともに、
１．１乃至２．４のＴＳＲおよび２４０以下のＲＰＭを与える風速を有する風が前記第１領域に流入した際に、前記エネルギー転換部の第１領域と第４領域で正のトルクが発生するように前記ジャイロミル型風力ブレードの迎角を形成することを特徴とする、ジャイロミル型風力タービンを備える風力発電タワー。
【請求項１１】
風が流入するウインド流入口が複数層に形成され、各層は風の強さ及び方向変化をもたらすようにする集風部と、前記風が通過しながらエネルギーを転換するようにするエネルギー転換部とから構成される風力発電タワーであって、
前記集風部は、前記ウインド流入口を介して取り入れられた風が前記エネルギー転換部の一半径方向に流れるように前記風力発電タワーの中心に沿って同一な角度に傾斜して放射状に配置される複数のウインドガイド壁を含み、
前記エネルギー転換部は、その内部に前記風力発電タワーの各層の中心に設置され、ソリディティーが０．２以上に形成された３つのブレードを有するジャイロミル型風力ブレードを含むジャイロミル型風力タービンが設置され、
前記ジャイロミル型風力タービンは、ＴＳＲが１．１乃至２．４、ＲＰＭが２４０以下になる条件で使用され、かつ、
前記エネルギー転換部は、前記ウインドガイド壁と前記ジャイロミル型風力ブレードとの間の空間に形成されるウインド流路と、前記風力発電タワーの中心から前記ジャイロミル型風力ブレードの間の空間に形成される内部流路とから構成され、前記風力発電タワーに風が流入する方向に垂直な方向を基準に、時計反回り方向に４等分して第１領域乃至第４領域に定めて、
前記集風部を通過した風が、前記第２領域から前記第３領域へと向かって前記エネルギー転換部を通過して、前記ジャイロミル型風力ブレードが時計方向に回転する場合、
前記複数のウインドガイド壁の傾斜方向は、前記エネルギー転換部の径方向に対して、前記複数のウインドガイド壁の外側が時計回りに回った方向であり、かつ、前記３つのブレードは、時計回り方向に幅広になった流線型であるとともに、
１．１乃至２．４のＴＳＲおよび２４０以下のＲＰＭを与える風速を有する風が前記第２領域に流入した際に、前記エネルギー転換部の第２領域と第３領域で正のトルクが発生するように前記ジャイロミル型風力ブレードの迎角を形成することを特徴とする、ジャイロミル型風力タービンを備える風力発電タワー。